(57)【要約】【課題】複数の放射線画像検出器に放射線が到達し得る状況下で、放射線画像撮影に用いられない放射線画像検出器でゴースト像が撮影されることを的確に防止することが可能な放射線画像撮影システムを提供する。【解決手段】放射線画像撮影システム１は、電源消費状態をスリープ状態と撮影可能状態との間で切り替え可能な複数の可搬型放射線画像検出器２と、ブッキー装置３と、コンソール７とを備え、可搬型放射線画像検出器２はブッキー装置３に装填されていない単独の状態でも撮影可能で、コンソール７は、単独の状態の可搬型放射線画像検出器２のうち２個以上の可搬型放射線画像検出器２の電源消費状態が撮影可能状態であると判断すると、当該２個以上の可搬型放射線画像検出器２のうち、選択したいずれか１個の可搬型放射線画像検出器２以外の単独の状態の可搬型放射線画像検出器２の電源消費状態をスリープ状態に切り替える切替処理を行う。【選択図】図１
2009291338.tif 000002
【特許請求の範囲】
【請求項１】
バッテリを内蔵し、無線通信手段を備えるとともに、電源消費状態を少なくともスリープ状態と撮影可能状態との間で切り替え可能な複数の可搬型放射線画像検出器と、
前記可搬型放射線画像検出器を装填可能なブッキー装置と、
放射線を照射する放射線発生装置と、
前記複数の可搬型放射線画像検出器と通信可能なコンソールと、
を備え、
前記可搬型放射線画像検出器は、前記ブッキー装置に装填されていない単独の状態で被写体を撮影可能で、かつ、前記電源消費状態を前記コンソールに通知可能であり、
前記ブッキー装置は、前記可搬型放射線画像検出器が装填されると前記コンソールに前記可搬型放射線画像検出器の装填を通知し、装填された前記可搬型放射線画像検出器が引き出されると前記コンソールに前記可搬型放射線画像検出器の装填の解除を通知し、
前記コンソールは、前記単独の状態の前記可搬型放射線画像検出器のうち２個以上の可搬型放射線画像検出器の電源消費状態が撮影可能状態であると判断すると、電源消費状態が撮影可能状態である前記２個以上の可搬型放射線画像検出器のうち、いずれか１個の可搬型放射線画像検出器を選択し、選択した可搬型放射線画像検出器以外の前記単独の状態の可搬型放射線画像検出器の電源消費状態をスリープ状態に切り替える切替処理を行うことを特徴とする放射線画像撮影システム。
【請求項２】
前記コンソールは、前記単独の状態の可搬型放射線画像検出器に対して定期的にポーリング信号を送信し、前記ポーリング信号に対する前記可搬型放射線画像検出器からの各応答信号に基づいて、前記単独の状態の可搬型放射線画像検出器のうち２個以上の可搬型放射線画像検出器の電源消費状態が撮影可能状態であるか否かを判断することを特徴とする請求項１に記載の放射線画像撮影システム。
【請求項３】
前記コンソールは、前記ブッキー装置に装填されていない単独の状態の前記可搬型放射線画像検出器の電源消費状態の履歴を管理し、２個以上の可搬型放射線画像検出器の電源消費状態が撮影可能状態であると判断した時点に最も近い時点で電源消費状態を撮影可能状態とされた可搬型放射線画像検出器を選択することを特徴とする請求項１または請求項２に記載の放射線画像撮影システム。
【請求項４】
前記コンソールは、前記ブッキー装置から前記可搬型放射線画像検出器の装填の解除の通知を受けると、前記引き出された可搬型放射線画像検出器を含む前記複数の可搬型放射線画像検出器に対してポーリング信号を送信し、前記ポーリング信号に対する前記可搬型放射線画像検出器からの各応答信号に基づいて、前記単独の状態の可搬型放射線画像検出器のうち２個以上の可搬型放射線画像検出器の電源消費状態が撮影可能状態であると判断した場合には、前記ブッキー装置から引き出された可搬型放射線画像検出器以外の前記単独の状態の可搬型放射線画像検出器について前記切替処理を行うことを特徴とする請求項１から請求項３のいずれか一項に記載の放射線画像撮影システム。
【請求項５】
前記コンソールは、前記単独の状態の可搬型放射線画像検出器のうち２個以上の可搬型放射線画像検出器の電源消費状態が撮影可能状態であると判断した場合、所定時間が経過した後、いずれか１個の可搬型放射線画像検出器を選択し、選択した可搬型放射線画像検出器以外の前記単独の状態の可搬型放射線画像検出器について前記切替処理を行うことを特徴とする請求項１から請求項４のいずれか一項に記載の放射線画像撮影システム。
【請求項６】
前記コンソールは、使用可能な前記可搬型放射線画像検出器に対応するアイコンを表示する表示部を備え、前記アイコンが選択されると、選択された当該アイコンに対応する可搬型放射線画像検出器の電源消費状態を撮影可能状態に切り替えるとともに、当該可搬型放射線画像検出器以外の前記単独の状態の可搬型放射線画像検出器について前記切替処理を行うことを特徴とする請求項１から請求項５のいずれか一項に記載の放射線画像撮影システム。
【請求項７】
前記コンソールは、予め前記単独の状態の前記可搬型放射線画像検出器のうち２個以上の可搬型放射線画像検出器の電源消費状態が撮影可能状態であることを許容する撮影条件が設定された場合には、前記切替処理を行わないことを特徴とする請求項１から請求項６のいずれか一項に記載の放射線画像撮影システム。
【発明の詳細な説明】
【技術分野】
【０００１】
本発明は、放射線画像撮影システムに関するものである。
【背景技術】
【０００２】
病気診断等を目的として、Ｘ線画像に代表される放射線を用いて撮影された放射線画像が広く用いられている。こうした医療用の放射線画像は、従来からスクリーンフィルムを用いて撮影されていたが、放射線画像のデジタル化を図るために輝尽性蛍光体シートを用いたＣＲ（Computed Radiography）装置が開発され、最近では、照射された放射線をフォトダイオード（光電変換素子）等の放射線検出素子で検出してデジタル画像データとして取得する放射線画像検出器が開発されている。
【０００３】
このタイプの放射線画像検出器はＦＰＤ（Flat Panel Detector）として知られており、従来はブッキー装置と一体的に形成された（例えば特許文献１参照）。しかし、近年、放射線検出素子等をハウジングに収納して可搬とした可搬型放射線画像検出器（以下、単に放射線画像検出器という場合には可搬型のものを指す。）が開発され、実用化されている（例えば特許文献２参照）。
【０００４】
このような放射線画像検出器１００は、通常、図７に示すように、ブッキー装置１０１のカセッテ保持部１０２に装填して用いられるように構成される。そして、放射線画像検出器１００はブッキー装置１０１に装填されると、ブッキー装置１０１を介して電力が供給されたり図示しないコンソールとの間で画像データや必要な情報等の送受信が行われるように構成されることが多い。
【０００５】
また、特許文献３では、放射線画像検出器１００がブッキー装置１０１に装填されると、放射線画像検出器１００が装填されたことがブッキー装置１０１からネットワーク等を介してコンソールに通知され、コンソールで装填を把握し得るシステムが開示されている。
【０００６】
また、近年、放射線画像検出器の可搬性を生かして、ブッキー装置に装填しない、いわば単独の状態で用い、例えば放射線画像検出器の放射線入射面上に被写体である患者の手等を載置し、ポータブルの放射線発生装置から放射線を照射して放射線画像撮影を行うケースも増えてきた。さらに、アンテナ装置等の無線通信手段を設け、無線通信手段を介してコンソール等の外部装置と画像データ等の送受信を行うことが可能な可搬型放射線画像検出器も開発されている（例えば特許文献４参照）。
【０００７】
ところで、上記のように、放射線画像検出器が可搬型になり、放射線画像検出器を単独の状態で用いて放射線画像撮影を行うことができるようになると、撮影室内に複数の放射線画像検出器があるような場合に、１つの放射線画像検出器に対して照射した放射線を他の放射線画像検出器が検出してしまう場合がある。
【０００８】
この場合、例えばコンソールから撮影室内の放射線画像検出器に対して画像データの送信指示を送信すると、放射線画像撮影に用いられた放射線画像検出器から正規の画像データが送られてくるだけでなく、他方の放射線画像検出器からいわゆるゴースト像が送信されてくる。このように、無駄な画像検出や画像データ（ゴースト像のデータ）の送信等が行われると、放射線画像検出器のバッテリが無駄に消費されてしまう等の問題が生じる。
【０００９】
このような事態を回避するため、特許文献５に記載の装置では、撮影室内等に複数の放射線画像検出器を収納可能なカセッテボックスを設けておき、カセッテボックスには放射線画像検出器が収納されていることを検出する検出手段を設けておき、放射線画像検出器がカセッテボックス内に収納されている場合には電源消費状態をスリープ状態（省電力状態）とし、放射線画像検出器がカセッテボックスから取り出されると、取り出した放射線画像検出器の電源消費状態を撮影可能状態に切り替えることが提案されている。
【特許文献１】特開平９−７３１４４号公報
【特許文献２】特開２００６−０５８１２４号公報
【特許文献３】米国特許７１９７１２２号明細書
【特許文献４】特開２００６−２６３３３９号公報
【特許文献５】特開２００２−２４８０９５号公報
【発明の開示】
【発明が解決しようとする課題】
【００１０】
しかしながら、放射線画像検出器は、通常の場合、例えば撮影室内に放置されていても、スリープ状態になっていれば放射線が照射されても画像検出や画像データの送信等は行われない。
【００１１】
また、放射線画像検出器をブッキー装置に装填し、当該ブッキー装置に対応付けられた放射線発生装置から放射線を照射して放射線画像撮影を行う場合、放射線発生装置から照射される放射線は、ブッキー装置の所定部分（患者の関心領域相当部分）にのみ照射されるように照射野が狭められる。そのため、別の放射線画像検出器が撮影可能状態で撮影室内の別の場所に存在し、当該別の放射線画像検出器が放射線の照射を自動検出して読取処理を自動的に開始するタイプであっても、その放射線画像検出器には放射線は届かず、通常、その放射線画像検出器でゴースト像が撮影されることはない。
【００１２】
そのため、それらの場合にも、特許文献５に記載されているように、放射線画像撮影に使用しない放射線画像検出器をわざわざカセッテボックスに戻さなければならないとすると、放射線画像撮影を行う放射線技師や医師等（以下、操作者という。）が煩わしさを感じてしまうという問題があった。
【００１３】
そこで、本発明は以上のような課題を解決するためになされたものであり、複数の放射線画像検出器に放射線が到達し得る状況下で、放射線画像撮影に用いられない放射線画像検出器でゴースト像が撮影されることを的確に防止することが可能な放射線画像撮影システムを提供することを目的とする。
【課題を解決するための手段】
【００１４】
前記の問題を解決するために、本発明の放射線画像撮影システムは、
バッテリを内蔵し、無線通信手段を備えるとともに、電源消費状態を少なくともスリープ状態と撮影可能状態との間で切り替え可能な複数の可搬型放射線画像検出器と、
前記可搬型放射線画像検出器を装填可能なブッキー装置と、
放射線を照射する放射線発生装置と、
前記複数の可搬型放射線画像検出器と通信可能なコンソールと、
を備え、
前記可搬型放射線画像検出器は、前記ブッキー装置に装填されていない単独の状態で被写体を撮影可能で、かつ、前記電源消費状態を前記コンソールに通知可能であり、
前記ブッキー装置は、前記可搬型放射線画像検出器が装填されると前記コンソールに前記可搬型放射線画像検出器の装填を通知し、装填された前記可搬型放射線画像検出器が引き出されると前記コンソールに前記可搬型放射線画像検出器の装填の解除を通知し、
前記コンソールは、前記単独の状態の前記可搬型放射線画像検出器のうち２個以上の可搬型放射線画像検出器の電源消費状態が撮影可能状態であると判断すると、電源消費状態が撮影可能状態である前記２個以上の可搬型放射線画像検出器のうち、いずれか１個の可搬型放射線画像検出器を選択し、選択した可搬型放射線画像検出器以外の前記単独の状態の可搬型放射線画像検出器の電源消費状態をスリープ状態に切り替える切替処理を行うことを特徴とする。
【発明の効果】
【００１５】
本発明のような方式の放射線画像撮影システムによれば、コンソールは、単独の状態の放射線画像検出器のうち２個以上の放射線画像検出器の電源消費状態が撮影可能状態になっていないか否かを管理し、２個以上の単独の状態の放射線画像検出器の電源消費状態が撮影可能状態であると判断した場合には、いずれか１個の放射線画像検出器を選択し、選択した放射線画像検出器以外の単独の状態の放射線画像検出器の電源消費状態をスリープ状態に強制的に切り替える切替処理を行う。
【００１６】
そのため、例えばポータブルの放射線発生装置から任意の方向に放射線を照射すると、ブッキー装置に装填されていない複数の単独の状態の放射線画像検出器に放射線が到達する可能性が生じるが、そのような状況下でも、放射線画像撮影に用いられない放射線画像検出器の電源消費状態をすべてスリープ状態に強制的に切り替えることで、それらの放射線画像検出器に放射線が照射されてゴースト像を検出してしまうことを的確に防止することが可能となる。
【発明を実施するための最良の形態】
【００１７】
以下、本発明に係る放射線画像撮影システムの実施の形態について、図面を参照して説明する。ただし、本発明は以下の図示例のものに限定されるものではない。
【００１８】
本実施形態に係る放射線画像撮影システム１は、病院や医院内で行われる放射線画像撮影を想定したシステムであり、図１に示すように、例えば、放射線を照射して患者Ｍの一部である被写体（患者Ｍの撮影対象部位）の撮影を行う撮影室Ｒ１と、放射線技師や医師等の操作者が被写体に照射する放射線の制御や取得した放射線画像の画像処理等を行う前室Ｒ２とに配置されるものである。
【００１９】
本実施形態では、撮影室Ｒ１には、可搬型とされた放射線画像検出器２（以下、単に放射線画像検出器２という。）を装填可能なブッキー装置３や、被写体に放射線を照射する放射線発生装置４、放射線画像検出器２とコンソール７とが無線通信する際にこれらの通信を中継する無線アクセスポイント（基地局）５等が設けられている。
【００２０】
また、前室Ｒ２には、放射線画像検出器２に内蔵された後述するタグを検出するタグリーダ６や、放射線画像撮影システム１全体の制御を行うコンソール７が設けられている。本実施形態では、放射線画像撮影システム１は、少なくともこれらのブッキー装置３と、放射線発生装置４と、放射線画像検出器２と、コンソール７とを備えて構成されている。
【００２１】
放射線画像検出器２は、図２に示すように、図示しないフォトダイオード等の光電変換素子やシンチレータ等が筐体２１内に内蔵されたものを用いることができる。なお、図２では、筐体２１がフロント部材２１ａとバック部材２１ｂとで形成されている場合が示されているが、この他にも、筐体２１を筒状のモノコック状に形成することも可能である。
【００２２】
放射線画像検出器２の側面部分には、電源／モード切替スイッチ２２が配置されており、電源／モード切替スイッチ２２を比較的長い時間（例えば１、２秒程度）押下し続けることにより、手動で放射線画像検出器２の電源のＯＮ／ＯＦＦできるようになっている。また、放射線画像検出器２は、電源／モード切替スイッチ２２が操作されて電源がＯＮされると、後述するアンテナ装置２４を介して電源が投入された旨の信号（以下、電源ＯＮ信号という。）を発信し、電源ＯＦＦ操作されると、電源を切る前に電源が切られた旨の信号（以下、電源ＯＦＦ信号という。）を発信して電源を切るようになっている。
【００２３】
また、側面部分には、この他、筐体２１内に内蔵された図示しないバッテリの交換のために開閉される蓋部材２３が設けられており、蓋部材２３の側面部には、放射線画像検出器２が無線アクセスポイント５を介して外部と無線で情報の送受信を行うための無線通信手段であるアンテナ装置２４が埋め込まれている。
【００２４】
また、放射線画像検出器２は、電源がＯＮの状態である場合に、放射線画像撮影を行うことができるように各部材に必要な電力が供給される撮影可能状態と、省電力状態であり放射線が照射されても放射線画像撮影を行わないスリープ状態との少なくとも２種類の電源消費状態の間で切り替えることができるように構成されている。
【００２５】
本実施形態では、放射線画像検出器２は、電源がＯＮされると電源消費状態が自動的に撮影可能状態に設定されるようになっている。また、電源／モード切替スイッチ２２が短く押下されると、押下されるごとに電源消費状態が撮影可能状態とスリープ状態との間で切り替わるようになっている。また、放射線画像検出器２は、電源がＯＮされて電源消費状態が撮影可能状態となった後、放射線が照射されずに所定時間が経過した場合には、電源消費状態が自動的にスリープ状態に切り替わるようになっている。
【００２６】
そして、放射線画像検出器２は、電源消費状態が切り替わる際に、電源消費状態が切り替わった旨の信号（以下、モード切替信号という。）と、切り替わった後の電源消費状態（すなわち撮影可能状態またはスリープ状態）をアンテナ装置２４を介して発信するようになっている。
【００２７】
また、放射線画像検出器２は、後述するように、コンソール７からポーリング信号が送信されてくると、自らの電源消費状態が撮影可能状態であるかスリープ状態であるかを表す応答信号を無線アクセスポイント５を介してコンソール７に通知するようになっている。
【００２８】
放射線画像検出器２の側面部分には、さらに、例えばＬＥＤ等で構成されバッテリの充電状況や各種の操作状況等を表示するインジケータ２５が設けられている。インジケータ２５等が設けられた放射線画像検出器２の側面部分とは反対側の側面部分には、放射線画像検出器２がブッキー装置３に装填された場合に、ブッキー装置３内の図示しない電極に接続され、放射線画像検出器２がブッキー装置３を介して外部からの電力の供給を受け、外部との信号のやりとりを行うための図示しない端子が設けられている。
【００２９】
また、放射線画像検出器２内には、図示しないタグが内蔵されている。本実施形態では、タグとして、いわゆるＲＦＩＤ（Radio Frequency IDentification）タグと呼ばれるタグが用いられており、タグには、タグの各部を制御する制御回路や放射線画像検出器２の固有情報を記憶する記憶部がコンパクトに内蔵されている。
【００３０】
放射線画像検出器２は、タグリーダ６から発信された電波をアンテナ装置２４を介して受信すると、タグの記憶部に記憶されたカセッテＩＤを含む固有情報をアンテナ装置２４を介してタグリーダ６に送信するように構成されている。なお、固有情報には、例えば当該放射線画像検出器２に割り当てられた識別情報としてのカセッテＩＤやシンチレータの種類情報、サイズ情報、解像度等が含まれている。
【００３１】
本実施形態では、放射線画像検出器２は、従来のスクリーン／フィルム用のカセッテにおけるＪＩＳ  Ｚ  ４９０５（対応する国際規格はＩＥＣ  ６０４０６）に準拠する寸法で構成されている。すなわち、放射線入射方向の厚さは１５ｍｍ＋１ｍｍ〜１５ｍｍ−２ｍｍの範囲内に形成され、８インチ×１０インチ、１０インチ×１２インチ、１１インチ×１４インチ、１４インチ×１４インチ、１４インチ×１７インチ（半切サイズ）等のものが用意されている。
【００３２】
また、放射線画像検出器２は、このようにブッキー装置３に装填して用いることも可能であるが、ブッキー装置３に装填されていない単独の状態で用いることもできるようになっている。
【００３３】
すなわち、放射線画像検出器２をブッキー装置３に装填しない単独の状態で、例えば撮影室Ｒ１内に設けられた支持台に配置し、その放射線入射面Ｘ（図２参照）上に被写体である患者Ｍの手等を載置したり、或いは例えばベッド上に横臥した患者Ｍの腰や足等とベッドとの間に差し込んだりして、ポータブルの放射線発生装置４ｃ、すなわちブッキー装置３に対応付けられていない、いわばフリーな放射線発生装置４ｃ等から放射線を照射して画像データを得るようにして用いることができるようになっている。
【００３４】
放射線画像検出器２は、ブッキー装置３に装填されて撮影が行われる場合には、前述した端子を通じてブッキー装置３を介して外部からの電力の供給を受け、画像データの送信等の外部との信号のやりとりを行うようになっている。
【００３５】
また、単独の状態で用いられる場合には、放射線画像検出器２は、内蔵されたバッテリの電力により動作するようになっており、画像データの送信等の外部、特にコンソール７との信号のやりとりは、放射線画像検出器２のアンテナ装置２４を介して撮影室Ｒ１内に設けられた無線アクセスポイント５を経由して無線通信で行われるようになっている。なお、例えば放射線画像検出器２を前室Ｒ２に持参してコンソール７に有線接続して画像データのコンソール７への送信を行うように構成することも可能である。
【００３６】
また、放射線画像検出器２には、図示しない記憶手段が内蔵されており、複数回の放射線画像撮影で得た各画像データを一時的に記憶させることができるようになっている。そのため、放射線画像検出器２を用いて、被写体に対して連続して放射線を照射し、そのたびごとに画像データを記録していくことで、連続撮影や動画撮影を行うことができるようになっている。
【００３７】
なお、放射線画像検出器（ＦＰＤ）２としては、照射された放射線をシンチレータで光に変換してフォトダイオード等の光電変換素子で検出する、いわゆる間接型の放射線画像検出器を用いることが可能であり、それ以外にも、照射された放射線をシンチレータを介さず放射線検出素子で直接検出する、いわゆる直接型の放射線画像検出器等の種々の放射線画像検出器を用いることが可能である。
【００３８】
撮影室Ｒ１は、放射線が外部に漏れないように鉛などでシールドされている。撮影室Ｒ１には、放射線画像検出器２を装填可能なブッキー装置３が設けられている。本実施形態では、ブッキー装置３として、立位撮影用のブッキー装置３ａと臥位撮影用のブッキー装置３ｂとがそれぞれ設けられている。また、ブッキー装置３には、放射線画像検出器２を所定の位置に保持するためのカセッテ保持部３１がそれぞれ設けられている。
【００３９】
本実施形態では、ブッキー装置３として、前述したＣＲ装置としてのＣＲカセッテ用のブッキー装置が用いられている。図示を省略するが、ＣＲカセッテは、前述した従来のスクリーン／フィルム用のカセッテにおけるＪＩＳ規格に準拠する寸法で構成されることが多く、ブッキー装置３は、その寸法のＣＲカセッテを装填することができるように構成されている。
【００４０】
そのため、前述したように、放射線画像検出器２を同じＪＩＳ規格に準拠する寸法で構成することにより、同一のブッキー装置３に放射線画像検出器２とＣＲカセッテのいずれをも装填することができるようになっている。従って、本実施形態では、放射線画像検出器２のみならず、ＣＲカセッテを撮影室Ｒ１内に持ち込んで放射線画像撮影を行うこともできるようになっている。
【００４１】
図示を省略するが、ブッキー装置３のカセッテ保持部３１には、放射線画像検出器２が装填されたことを物理的に検出するマイクロスイッチ等の装填検出装置や、放射線画像検出器２が正常に装填された場合に放射線画像検出器２の端子と接続する電極等が設けられている。また、前述したようにＣＲカセッテが装填される場合もあるため、カセッテ保持部３１にはＣＲカセッテの図示しないバーコードを光学的に読み取るバーコードリーダ等も設けられている。
【００４２】
また、ブッキー装置３には、それぞれＣＲＴ（Cathode Ray Tube）やＬＣＤ（Liquid Crystal Display）等の図示しないモニタや、キーボードやタッチパネル等の操作入力部、発声部、ＣＰＵ（Central Processing Unit）等を備えた操作部３２が設けられている。操作部３２のモニタにはコンソール７から送信されてきた患者情報や撮影条件等の情報が表示されるようになっており、操作者がその表示を見て患者や撮影部位等を確認できるようになっている。
【００４３】
そして、装填検出装置がカセッテ保持部３１への放射線画像検出器２やＣＲカセッテの装填を検出したにもかかわらず、電極を介した放射線画像検出器２との通信が成立しない場合や、バーコードリーダによるＣＲカセッテのバーコードの読み取りができない場合には、操作部３２の発声部から音声を発声して操作者に注意を喚起するようになっている。
【００４４】
これは、ブッキー装置３のカセッテ保持部３１に装填された放射線画像検出器２が撮影可能状態になっていなかったり（電源スイッチが入れ忘れられていたり）、放射線画像検出器２の端子が設けられていない側の側面部分、すなわちアンテナ装置２４が設けられた側の側面部分から放射線画像検出器２をカセッテ保持部３１に装填したり、或いは放射線画像検出器２やＣＲカセッテの表裏を逆にして装填したりした場合であり、いずれも装填をしなおす必要があるためである。
【００４５】
ブッキー装置３は、装填検出装置や電極等からの信号に基づいて放射線画像検出器２が正常に装填されたことを検知すると、コンソール７に対して放射線画像検出器２が装填されたことを表す信号（以下、装填信号という。）およびカセッテＩＤ等の情報を通知するようになっている。
【００４６】
また、ブッキー装置３は、装填検出装置や電極等からの信号に基づいて、装填されていた放射線画像検出器２が引き出されたことを検知すると、コンソール７に対して放射線画像検出器２の装填が解除されたことを表す信号（以下、解除信号という。）等を通知するようになっている。
【００４７】
なお、本実施形態では、ブッキー装置３は、カセッテ２が正常に装填されたことを検知した時点で初めて操作者による操作入力部を介した操作部３２の操作を可能とするようになっている。すなわち、操作部３２は、ブッキー装置３にカセッテ２が正常に装填されない限り、操作を受け付けないようになっている。また、立位撮影用のブッキー装置３ａや臥位撮影用のブッキー装置３ｂにおいて、例えばそれら自体の位置調整や装置本体に対するカセッテ保持部３１の高さ調整等を適宜行うこと等が可能とされていることは、公知のブッキー装置と同様である。
【００４８】
撮影室Ｒ１には、被写体に放射線を照射する放射線源を備える放射線発生装置４が少なくとも１つ設けられており、本実施形態では、立位撮影用および臥位撮影用のブッキー装置３ａ、３ｂに、放射線発生装置４ａ、４ｂがそれぞれ予め対応付けられて配設されている。なお、本実施形態では、立位撮影用および臥位撮影用のブッキー装置３ａ、３ｂに対して、それらに対応付けられた兼用の放射線発生装置を１つ設けるように構成することも可能である。
【００４９】
また、本実施形態では、立位撮影用のブッキー装置３ａや臥位撮影用のブッキー装置３ｂには対応付けられていないポータブルの放射線発生装置４ｃも設けられており、ポータブルの放射線発生装置４ｃは、撮影室Ｒ１内のいかなる場所にも持ち運びでき、任意の方向に放射線を照射できるようになっている。
【００５０】
なお、ポータブルの放射線発生装置４ｃは、本実施形態では、コンソール７による制御によらず、放射線画像検出器２に対して用いる場合には放射線画像検出器２からの無線信号により起動させ、ＣＲカセッテに対して用いる場合には操作者が手動で起動させるようになっているが、コンソール７の操作等で起動させるように構成することも可能である。
【００５１】
放射線発生装置４は、放射線源としてＸ線管球を備えており、Ｘ線管球は高圧電圧が印加されると電圧に応じた線量の放射線を照射するようになっている。また、放射線画像検出器４には、開閉自在とされた図示しない絞りが設けられており、立位撮影用および臥位撮影用のブッキー装置３ａ、３ｂに対応付けられた放射線発生装置４ａ、４ｂでは、絞りが調節されて放射線の照射野が狭められることで、対応するブッキー装置３ａ、３ｂの所定部分にのみ放射線が照射されるようになっている。なお、ポータブルの放射線発生装置４ｃにおいても、Ｘ線管球から照射される放射線の線量や絞りが適宜調節されて用いられる。
【００５２】
立位撮影用および臥位撮影用のブッキー装置３ａ、３ｂにそれぞれ対応付けられた放射線発生装置４ａ、４ｂは、例えば撮影室Ｒ１の天井からつり下げられて配設されるようになっており、撮影時にはコンソール７からの指示に基づいて起動され、図示しない移動手段により所定の位置にまで移動されるようになっている。
【００５３】
撮影室Ｒ１内の一角には、放射線画像検出器２とコンソール７とが無線通信する際にこれらの通信を中継する無線アクセスポイント（基地局）５が設置されている。図１では、無線アクセスポイント５が撮影室Ｒ１の入口付近に設けられている場合が示されているが、これに限定されず、コンソール７の無線通信手段８と無線通信可能な適宜の位置に設置される。
【００５４】
前室Ｒ２の入口の近傍には、ＲＦＩＤの技術を用いて放射線画像検出器２と情報をやりとりするタグリーダ６が設置されている。タグリーダ６は、内蔵する図示しないアンテナを介して電波等に所定の指示情報を乗せて発信し、前室Ｒ２に入室し或いは退室する放射線画像検出器２、すなわち撮影室Ｒ１や前室Ｒ２の所定範囲内に進入した放射線画像検出器２を検出するようになっている。そして、タグリーダ６は、検出した放射線画像検出器２のＲＦＩＤタグに記憶された固有情報を読み取り、読み取った固有情報をコンソール７に送信するようになっている。
【００５５】
前室Ｒ２には、コンソール７が設けられている。コンソール７は、図示しないＣＰＵやＲＯＭ（Read Only Memory）、ＲＡＭ（Random Access Memory）、入出力インターフェース等がバスに接続されたコンピュータで構成されており、ＲＯＭに格納される所定のプログラムを読み出してＲＡＭの作業領域に展開してプログラムに従って各種処理を実行して、前述したように放射線画像撮影システム１全体の制御を行うようになっている。
【００５６】
コンソール７には、立位撮影用および臥位撮影用のブッキー装置３ａ、３ｂやそれらに対応付けられた放射線発生装置４ａ、４ｂ、タグリーダ６等がそれぞれケーブル等を介して接続されており、また、無線アクセスポイント５を経由して放射線画像検出器２と無線通信を行うための無線通信手段８が接続されている。
【００５７】
また、コンソール７には、ハードディスク等で構成された記憶手段９が接続されており、コンソール７には、その他、キーボードやマウス等の図示しない入力手段が接続されている。
【００５８】
コンソール７は、前述したようにタグリーダ６が検出した放射線画像検出器２のカセッテＩＤを含む固有情報が送信されてくると、図３に示すように、記憶手段９に登録されている、撮影室Ｒ１内等に存在する放射線画像検出器２のリストを参照するようになっている。
【００５９】
そして、コンソール７は、送信されてきた固有情報が記憶手段９に登録されていなければ、当該放射線画像検出器２が新たに撮影室Ｒ１や前室Ｒ２内に持ち込まれたものとしてその放射線画像検出器２のカセッテＩＤ等を上記のリストに追加して記憶手段９に登録する。また、送信されてきた固有情報が既に記憶手段９に登録されているものであれば、当該放射線画像検出器２が撮影室Ｒ１や前室Ｒ２内から持ち出されたものとしてその放射線画像検出器２のカセッテＩＤ等を上記のリストから抹消する。このようにして、コンソール７は、撮影室Ｒ１内等に持ち込まれ或いは持ち出される放射線画像検出器２を把握して記憶手段９上で管理するようになっている。
【００６０】
また、コンソール７は、撮影室Ｒ１内等に存在し、いずれのブッキー装置３ａ、３ｂにも装填されていない単独の状態の各放射線画像検出器２に対して無線アクセスポイント５を介して定期的にポーリング信号を送信して、それに対する各放射線画像検出器２からの応答信号に基づいて、各放射線画像検出器２の電源のＯＮ／ＯＦＦや電源消費状態が撮影可能状態かスリープ状態かを把握するようになっている。
【００６１】
図３に示した例では、撮影室Ｒ１内等に存在しブッキー装置３ａ、３ｂに装填されていない単独の状態の放射線画像検出器２が３個存在し、カセッテＩＤが「１０１０１０３」の放射線画像検出器２の電源消費状態が撮影可能状態であり、他の放射線画像検出器２はスリープ状態になっている。なお、以下、便宜的に、カセッテＩＤが「１０１０１０３」、「１０１０１０４」、「１０１０１１１」の放射線画像検出器２をそれぞれ放射線画像検出器２ａ、２ｂ、２ｃという。
【００６２】
また、コンソール７は、前述したようにブッキー装置３から装填信号が通知されてくると、それに付随して通知されるカセッテＩＤに対応する放射線画像検出器２のリストの「装填状態」の欄にその放射線画像検出器２が装填されたブッキー装置３のＩＤを書き込み、また、ブッキー装置３から解除信号が通知されてくると、それに付随して通知されるカセッテＩＤに対応する放射線画像検出器２のリストの「装填状態」の欄を「単独」に書き替えることで、現時点で、どのブッキー装置３ａ、３ｂにどの放射線画像検出器２が装填されており、また、どの放射線画像検出器２がいずれのブッキー装置３ａ、３ｂにも装填されておらず単独の状態にあるかを管理して把握するようになっている。
【００６３】
本実施形態では、コンソール７は、前述したように、撮影室Ｒ１内等に存在する単独の状態の各放射線画像検出器２に対して定期的にポーリング信号を送信するようになっており、各放射線画像検出器２から送信されてくる応答信号に基づいて、ブッキー装置３に装填されず、かつ、電源消費状態が撮影可能状態になっている放射線画像検出器２が２個以上存在するか否かを判断するようになっている。
【００６４】
その際、ブッキー装置３ａ、３ｂに装填されていない放射線画像検出器２が前室Ｒ２内に存在する場合には、無線アクセスポイント５を介して送信されるポーリング信号がその放射線画像検出器２に届かない場合があるが、当該放射線画像検出器２が撮影可能状態であっても前室Ｒ２内には照射された放射線は到達しないため、当該放射線画像検出器２でゴースト像が撮影されることはない。
【００６５】
そのため、コンソール７は、無線アクセスポイント５を介してポーリング信号を送信しても応答信号が送信されてこない場合には、当該放射線画像検出器２は前室Ｒ２内に存在するか或いは電源がＯＦＦの状態になっていると判断して、今回の定期的なポーリング信号の送信の時点では、当該放射線画像検出器２を監視対象から除外するようになっている。
【００６６】
そして、電源消費状態が撮影可能状態になっている単独の状態の放射線画像検出器２が２個以上存在する場合には、コンソール７は、これらの電源消費状態が撮影可能状態である２個以上の放射線画像検出器２のうち、いずれか１個の放射線画像検出器２を選択し、選択した放射線画像検出器２以外の単独の状態の放射線画像検出器２に対して、それらの電源消費状態を撮影可能状態からスリープ状態に切り替える信号を無線アクセスポイント５を介して送信して、電源消費状態を切り替える切替処理を行うようになっている。
【００６７】
そのため、撮影室Ｒ１内等に電源消費状態が撮影可能状態になっている単独の状態の放射線画像検出器２が２個以上存在する場合、この操作が行われることにより、電源消費状態が撮影可能状態になっている単独の状態の放射線画像検出器２は、選択された放射線画像検出器２の１個のみとなる。
【００６８】
本実施形態では、コンソール７は、上記のように単独の状態の放射線画像検出器２を選択する場合には、電源消費状態が撮影可能状態になっている単独の状態の放射線画像検出器２が２個以上存在すると判断した時点に最も近い時点で（すなわち最後に）電源消費状態を撮影可能状態とされた放射線画像検出器２を選択するようになっている。電源消費状態が以前から撮影可能状態とされたまま放置されている放射線画像検出器２よりも、操作者により最後に撮影可能状態とされた放射線画像検出器２がこれから行われる放射線画像撮影に用いられる可能性が高いためである。
【００６９】
そして、コンソール７は、図３に示した撮影室Ｒ１内等に存在する各放射線画像検出器２について電源消費状態の履歴を記憶して管理するようになっており、この履歴を参照してどの放射線画像検出器２の電源消費状態が最後に撮影可能状態とされたかを認識するようになっている。
【００７０】
また、コンソール７は、上記の定期的なポーリング信号の送信以外にも、無線アクセスポイント５を介して放射線画像検出器２から、電源ＯＮ信号や、切り替わった後の電源消費状態である「撮影可能状態」の情報を伴うモード切替信号が送信されてくると、その都度、撮影室Ｒ１内等に存在し、いずれのブッキー装置３ａ、３ｂにも装填されていない単独の状態の各放射線画像検出器２に対して、無線アクセスポイント５を介してポーリング信号を送信するようになっている。
【００７１】
この場合も、電源消費状態が撮影可能状態になっている単独の状態の放射線画像検出器２が２個以上存在するには、電源がＯＮされたり電源消費状態をスリープ状態から撮影可能状態に切替られたりした放射線画像検出器２が最後に撮影可能状態とされた放射線画像検出器であるから、コンソール７は、その放射線画像検出器２の電源消費状態を撮影可能状態のままとし、それ以外の放射線画像検出器２の電源消費状態をスリープ状態に切り替える。
【００７２】
さらに、コンソール７は、ブッキー装置３から、当該ブッキー装置３から装填されていた放射線画像検出器２が引き出されて装填が解除されたことを表す解除信号が通知されてきた場合にも、その都度、撮影室Ｒ１内等に存在し、いずれのブッキー装置３ａ、３ｂにも装填されていない単独の状態の各放射線画像検出器２に対して、無線アクセスポイント５を介してポーリング信号を送信するようになっている。
【００７３】
そして、この場合は、ブッキー装置３から引き出された放射線画像検出器２についてはその後画像データの送信等の処理が引き続き行われる可能性が高いため、上記のポーリング信号の送信に対する応答信号に基づいて電源消費状態が撮影可能状態になっている単独の状態の放射線画像検出器２が２個以上存在すると判断された場合には、コンソール７は、ブッキー装置３から引き出された放射線画像検出器２の電源消費状態を撮影可能状態のままとし、それ以外の放射線画像検出器２の電源消費状態をスリープ状態に切り替えるようになっている。
【００７４】
図１では図示を省略するが、コンソール７には、この他にも、例えば、コンソール７から出力された画像データに基づいて放射線画像をフィルムなどの画像記録媒体に記録して出力するイメージャ等が適宜接続される。
【００７５】
また、コンソール７の記憶手段９には、撮影室Ｒ１における放射線画像撮影で使用可能な放射線画像検出器２等について、カセッテＩＤと、シンチレータの種類情報やサイズ情報、解像度等の情報とが対応付けられたテーブルが予め記憶されている。さらに、記憶手段９には、撮影室Ｒ１での放射線画像撮影の対象となる患者の情報と撮影条件を含む撮影オーダ情報等が記憶されている。
【００７６】
本実施形態では、撮影オーダ情報は、図４に例示するように、患者情報としての「患者ＩＤ」Ｐ２、「患者氏名」Ｐ３、「性別」Ｐ４、「年齢」Ｐ５、「診療科」Ｐ６および撮影条件としての「撮影部位」Ｐ７、「撮影方向」Ｐ８、「ｍｏｄｅ撮影」Ｐ９を含んで構成されるようになっている。そして、撮影オーダを受け付けた順に、各撮影オーダ情報に対して「撮影オーダＩＤ」Ｐ１が自動的に割り当てられるようになっている。
【００７７】
なお、撮影オーダ情報に書き込む患者情報や撮影条件の内容は、上記のものに限定されず、例えば、患者の生年月日、診察回数、放射線の線量、太っているか痩せているか等の情報を含むように構成することも可能であり、適宜設定することができる。また、例えば、ネットワークを介してコンソール７をＨＩＳ（Hospital Information System）やＲＩＳ（Radiology Information System）に接続し、それらから撮影オーダ情報や放射線画像検出器２についての情報等を入手するように構成することも可能である。
【００７８】
また、「ｍｏｄｅ撮影」Ｐ９における「単純」は、放射線画像検出器２を用いて１回だけ放射線を照射して放射線画像を得る撮影方法を表し、「サブトラクション」は、被写体に対して照射した放射線を複数の放射線画像検出器２で検出し、それらから得られる複数の画像データの各画素の差分を算出する等して目的の対象物以外の陰影等を除去する撮影方法を表し、「動態撮影」は、１個の放射線画像検出器２を用い、被写体に対して放射線を複数回連続照射して時系列的な複数の放射線画像を得る撮影方法を表す。しかし、撮影条件のうち「ｍｏｄｅ撮影Ｐ９」は必ずしも撮影オーダ情報に設定される必要はなく、後の段階で設定するように構成することも可能である。
【００７９】
コンソール７には、ＣＲＴ（Cathode Ray Tube）やＬＣＤ（Liquid Crystal Display）等からなる表示部７１（図１参照）が設けられており、放射線画像撮影時には、コンソール７は、記憶手段９に記憶されている上記の撮影オーダ情報のリストを読み出して（或いはネットワークを介してＨＩＳ／ＲＩＳから撮影オーダ情報のリストを入手して）取得して、例えば図５に示すように、表示部７１の選択画面Ｈ１上に表示するようになっている。
【００８０】
本実施形態では、選択画面Ｈ１には、撮影オーダ情報のリストを表示するための撮影オーダ情報表示欄ｈ１１が設けられており、撮影オーダ情報表示欄ｈ１１の左側には、今回撮影する予定である撮影オーダ情報を選択するための選択ボタンｈ１２が各撮影オーダ情報に対応して設けられている。また、撮影オーダ情報表示欄ｈ１１の下側には、決定ボタンｈ１３および戻るボタンｈ１４が設けられている。
【００８１】
そして、今回撮影を行う撮影オーダ情報が、当該撮影オーダ情報に対応する選択ボタンｈ１２がクリックされ、決定ボタンｈ１３がクリックされて選択されると、表示部７１の画面が切り換わり、コンソール７は、続いて、表示部７１の選択画面Ｈ２上に、例えば図６に例示するようなアイコンを表示する。
【００８２】
図６に示すように、選択画面Ｈ２の左側に、「立位」および「臥位」の表記を矩形状の枠線で囲む状態で、立位撮影用のブッキー装置３ａと臥位撮影用のブッキー装置３ｂに対応するアイコン３Ａ、３Ｂがそれぞれ表示されている。また、選択画面Ｈ２の右側には、撮影室Ｒ１内等に存在する単独の状態の放射線画像検出器２ａ、２ｂ、２ｃ（図３参照）に対応するアイコン２Ａ、２Ｂ、２Ｃがそれぞれ矩形状に表示されている。
【００８３】
なお、図６では、ブッキー装置３ａ、３ｂにはいずれも放射線画像検出器２が装填されていない状態が示されているが、本実施形態では、ブッキー装置３ａ、３ｂのいずれか或いは両方に放射線画像検出器２が装填されている場合には、放射線画像検出器２が装填されているブッキー装置３ａ、３ｂに対応するアイコン３Ａ、３Ｂの枠線が実線で表示され、枠線内が所定の色で着色されて表示されるようになっている。また、ブッキー装置３に装填された放射線画像検出器２は単独の状態ではなくなるため、選択画面Ｈ２の右側に表示されていた当該放射線画像検出器２に対応するアイコンは非表示となる。
【００８４】
また、図６の放射線画像検出器２ａ、２ｂ、２ｃに対応するアイコン２Ａ、２Ｂ、２Ｃの枠線内に示されている「１００μ」等の表示は、対応する各放射線画像検出器２ａ、２ｂ、２ｃの解像度を表すものであるが、これ以外にも各放射線画像検出器２ａ、２ｂ、２ｃについての必要な情報を表示するように構成することも可能である。
【００８５】
本実施形態では、操作者により、選択画面Ｈ２に表示された単独の状態の各放射線画像検出器２ａ、２ｂ、２ｃに対応するアイコン２Ａ、２Ｂ、２Ｃのうちのいずれかのアイコンがクリックされて選択されると、コンソール７は、選択されたアイコンに対応する放射線画像検出器２の電源消費状態を撮影可能状態に切り替えるようになっている。
【００８６】
また、それと同時に、当該放射線画像検出器２の電源消費状態を撮影可能状態とした場合、撮影室Ｒ１内等に単独の状態の放射線画像検出器２のうち２個以上の放射線画像検出器２の電源消費状態が撮影可能状態である状態になる場合には、コンソール７は、選択されたアイコンに対応する当該放射線画像検出器２以外のすべての放射線画像検出器２に対して、電源消費状態をスリープ状態に切り替える切替処理を行うようになっている。
【００８７】
この場合、選択画面Ｈ２上で、電源消費状態が撮影可能状態になっている放射線画像検出器２に対応するアイコンと、スリープ状態になっている放射線画像検出器２に対応するアイコンとを、例えば異なる色で着色して表示したり、同色の濃淡で区別して表示する等して、どの放射線画像検出器２の電源消費状態が撮影可能状態になっているかを操作者に認識できるように構成することも可能である。
【００８８】
なお、前述したように、撮影オーダ情報では撮影条件を設定することが可能であり、撮影条件の「ｍｏｄｅ撮影」Ｐ９（図４、図５参照）では「サブトラクション」を指定することが可能である。そして、サブトラクション撮影のように複数の放射線画像検出器２を用いる放射線画像撮影を行おうとする場合に、上記のように撮影室Ｒ１内等に単独の状態の放射線画像検出器２のうち電源消費状態が撮影可能状態である放射線画像検出器２を１個以下に制限する切替処理が機能する状態のままであると、サブトラクション撮影等を行うことができない。
【００８９】
そのため、本実施形態では、コンソール７は、放射線画像撮影の際に予め単独の状態の放射線画像検出器２のうち２個以上の放射線画像検出器２の電源消費状態が撮影可能状態であることを許容する撮影条件が設定された場合には、上記の切替処理を行わないようになっている。
【００９０】
すなわち、操作者により、例えば図５に示した選択画面Ｈ１上で撮影条件として「サブトラクション」が指定された撮影オーダ情報（撮影オーダＩＤ「００９」）が選択された場合には、コンソール７は、単独の状態の放射線画像検出器２のうち２個以上の放射線画像検出器２の電源消費状態が撮影可能状態であることを許容する撮影条件が設定されたものとみなす。そして、その後、例えば図６に示した選択画面Ｈ２上で２個以上の放射線画像検出器２がクリックされて選択されても上記の切替処理を行わず、選択された複数の放射線画像検出器２のすべての電源消費状態を撮影可能状態に切り替えるようになっている。
【００９１】
次に、本実施形態に係る放射線画像撮影システム１の作用について説明する。
【００９２】
放射線画像検出器２が外部から前室Ｒ２や撮影室Ｒ１に持ち込まれると、前室Ｒ２の入口近傍に設置されたタグリーダ６が、当該放射線画像検出器２のＲＦＩＤタグに記憶された固有情報を読み取り、読み取った固有情報をコンソール７に送信する。また、撮影室Ｒ１や前室Ｒ２から放射線画像検出器２が持ち出される場合にも、タグリーダ６は、読み取った当該放射線画像検出器２の固有情報をコンソール７に送信する。
【００９３】
コンソール７は、タグリーダ６が検出した放射線画像検出器２のカセッテＩＤを含む固有情報が送信されてくると、当該放射線画像検出器２を記憶手段９に登録し或いは抹消する。このようにして、コンソール７は、図４に示すように、撮影室Ｒ１内等に持ち込まれ或いは持ち出される放射線画像検出器２を把握して記憶手段９上で管理する。また、コンソール７は、各放射線画像検出器２について、電源のＯＮ／ＯＦＦや電源消費状態（撮影可能状態またはスリープ状態）、ブッキー装置３への装填の有無等をも把握して管理する。
【００９４】
コンソール７は、定期的に撮影室Ｒ１内等に存在する単独の状態の各放射線画像検出器２に対して無線アクセスポイント５を介してポーリング信号を送信し、各放射線画像検出器２から送信されてくる応答信号に基づいて電源消費状態が撮影可能状態になっている放射線画像検出器２が２個以上存在するか否かを判断する。そして、撮影可能状態である放射線画像検出器２が２個以上存在する場合には、最後に電源消費状態を撮影可能状態とされた放射線画像検出器２を選択して、それ以外の単独の状態の放射線画像検出器２の電源消費状態を撮影可能状態からスリープ状態に切り替える。
【００９５】
また、放射線画像検出器２から、電源ＯＮ信号や、切り替わった後の電源消費状態である「撮影可能状態」の情報を伴うモード切替信号が送信されてくると、コンソール７は、その都度、同様にポーリング信号を送信し、各放射線画像検出器２から送信されてくる応答信号に基づいて電源消費状態が撮影可能状態になっている放射線画像検出器２が２個以上存在するか否かを判断する。そして、撮影可能状態である放射線画像検出器２が２個以上存在する場合には、上記の信号を送信してきた放射線画像検出器２が最後に撮影可能状態とされた放射線画像検出器であるから、コンソール７は、その放射線画像検出器２の電源消費状態を撮影可能状態のままとし、それ以外の放射線画像検出器２の電源消費状態をスリープ状態に切り替える。
【００９６】
さらに、ブッキー装置３から、当該ブッキー装置３から装填されていた放射線画像検出器２が引き出されて装填が解除されたことを表す解除信号が通知されてくると、コンソール７は、その都度、同様にポーリング信号を送信し、各放射線画像検出器２から送信されてくる応答信号に基づいて電源消費状態が撮影可能状態になっている放射線画像検出器２が２個以上存在するか否かを判断する。そして、撮影可能状態である放射線画像検出器２が２個以上存在する場合には、ブッキー装置３から引き出された放射線画像検出器２はその後画像データの送信等の処理が引き続き行われる可能性が高いため、コンソール７は、ブッキー装置３から引き出された放射線画像検出器２の電源消費状態を撮影可能状態のままとし、それ以外の放射線画像検出器２の電源消費状態をスリープ状態に切り替える。
【００９７】
また、コンソール７は、表示部７１の選択画面Ｈ２（図６参照）上で、単独の状態の各放射線画像検出器２ａ、２ｂ、２ｃに対応するアイコン２Ａ、２Ｂ、２Ｃのうちのいずれかのアイコンがクリックされて選択されると、コンソール７は、選択されたアイコンに対応する放射線画像検出器２の電源消費状態を撮影可能状態に切り替える。それと同時に、当該放射線画像検出器２の電源消費状態を撮影可能状態とした場合に、撮影室Ｒ１内等に単独の状態の放射線画像検出器２のうち２個以上の放射線画像検出器２の電源消費状態が撮影可能状態である状態になる場合には、コンソール７は、選択されたアイコンに対応する当該放射線画像検出器２以外のすべての放射線画像検出器２の電源消費状態をスリープ状態に切り替える。
【００９８】
このようにして選択した放射線画像検出器２以外の放射線画像検出器２の電源消費状態をスリープ状態に切り替える切替処理を行うことで、撮影室Ｒ１内等で電源消費状態が撮影可能状態になっている単独の状態の放射線画像検出器２を１個以下とすることが可能となる。
【００９９】
ただし、前述したサブストラクション撮影のように、操作者により予め単独の状態の放射線画像検出器２のうち２個以上の放射線画像検出器２の電源消費状態が撮影可能状態であることを許容する撮影条件が設定された場合には、上記の切替処理を行わない。
【０１００】
以上のように、本実施形態に係る放射線画像撮影システム１によれば、コンソール７は、撮影室Ｒ１内等に存在する単独の状態の放射線画像検出器２のうち、２個以上の放射線画像検出器２の電源消費状態が撮影可能状態になっていないか否かを管理し、２個以上の単独の状態の放射線画像検出器２の電源消費状態が撮影可能状態であると判断した場合には、上述したような手法でいずれか１個の放射線画像検出器２を選択し、選択した放射線画像検出器２以外の放射線画像検出器２の電源消費状態をスリープ状態に強制的に切り替える切替処理を行う。
【０１０１】
そのため、例えば、放射線をいかなる方向へも任意の線量で照射できるポータブルの放射線発生装置４ｃを用いて放射線画像撮影を行うような場合、ブッキー装置２に装填されていない複数の単独の状態の放射線画像検出器２に放射線が到達する可能性が生じるが、そのような状況下でも、放射線画像撮影に用いられない放射線画像検出器２の電源消費状態をすべてスリープ状態に強制的に切り替えることで、例えばポータブルの放射線発生装置４ｃからそれらの放射線画像検出器２に放射線が照射されてゴースト像を検出してしまうことを的確に防止することが可能となる。
【０１０２】
また、本実施形態に係る放射線画像撮影システム１では上記のように構成されているため、従来のように、放射線画像検出器２を、カセッテボックスに収納されたか否かで管理する必要はなく、カセッテボックスに収納されておらず撮影に用いられない単独の状態の放射線画像検出器２を的確にスリープ状態とすることができる。そのため、放射線画像撮影を行う放射線技師や医師等の操作者は、使用しない放射線画像検出器２をいちいちカセッテボックスに返却しなくて済むため、煩わしさを感じずに済むという利点も有している。
【０１０３】
なお、本発明は、撮影室Ｒ１や前室Ｒ２内にカセッテボックスを設けておき、ブッキー装置３に装填されていない単独の状態の放射線画像検出器２をカセッテボックスに収納することを排除するものではない。
【０１０４】
カセッテボックスを設ける場合には、通常、放射線が照射されないように前室Ｒ２内に設けられるため、カセッテボックスに収納された放射線画像検出器２を２個以上の単独の状態の放射線画像検出器２の電源消費状態が撮影可能状態になっているか否かの判断の対象とする必要はないが、カセッテボックスを撮影室Ｒ１内に設ける場合には、カセッテボックスに収納された放射線画像検出器２に放射線が到達する可能性があるため、それらの放射線画像検出器２を前記判断の対象とするように構成することも可能である。
【０１０５】
また、本実施形態では、撮影オーダ情報が放射線画像撮影に先立って予め作成され、記憶手段９やＨＩＳ／ＲＩＳに保存されている場合について説明したが、本発明は、撮影オーダ情報を放射線画像撮影後に作成する場合にも適用できる。その場合、放射線画像撮影前の撮影条件等の設定の際、コンソール７の表示部７１には、選択画面Ｈ１（図５参照）は表示されず選択画面Ｈ２（図６参照）が表示され、上記と同様に選択されたアイコンに対応する放射線画像検出器２の電源消費状態が撮影可能状態に切り替えられ、他の単独の状態の放射線画像検出器２の電源消費状態はスリープ状態に切り替えられる。
【０１０６】
また、この場合、サブストラクション撮影を行う場合のように複数の単独の状態の放射線画像検出器２の電源消費状態が撮影可能状態であることを許容する撮影条件の設定を、撮影オーダ情報に基づいて行うことができないが、撮影条件を設定する画面を表示する等して他の手法で予め上記の撮影条件の設定を行うことができるように構成することで、撮影オーダ情報を放射線画像撮影後に作成する場合でも複数の単独の状態の放射線画像検出器２の電源消費状態が撮影可能状態であることを許容する撮影条件を設定して、上記の切替処理を行わないように構成することができる。
【０１０７】
さらに、前述したように、放射線発生装置４は、ブッキー装置３に装填された放射線画像検出器２に放射線を照射する場合には、通常、絞りが調節されて放射線の照射野が狭められ、放射線がブッキー装置３外に漏れ出すことがないため、撮影可能状態となっている放射線画像検出器２が２個以上存在するか否かの判断の対象から、ブッキー装置３に装填された放射線画像検出器２を除外した。しかし、より厳密にゴースト像の検出を防止する場合には、コンソール７を、ブッキー装置３に装填された放射線画像検出器２の電源消費状態をも判断の対象として管理するように構成することも可能である。
【０１０８】
一方、本実施形態では、例えば、撮影室Ｒ１内に単独の状態の放射線画像検出器２が撮影可能状態で存在する場合に、操作者が、ブッキー装置３に装填するためにブッキー装置３の外で他の放射線画像検出器２の電源をＯＮし或いは電源消費状態をスリープ状態から撮影可能状態に切り替えると、ポーリング通信の処理後、直ちに他の撮影可能状態になっていた放射線画像検出器２の電源消費状態がスリープ状態に切り替えられる。
【０１０９】
また、本実施形態では、例えば、撮影が終了したために、操作者がブッキー装置３に装填されている撮影可能状態の放射線画像検出器２をブッキー装置３から引き出す際、ブッキー装置３から送信される解除信号に基づいてコンソール７がポーリング信号を発信し、引き出した放射線画像検出器２以外に他の撮影可能状態の放射線画像検出器２が存在すれば、引き出した瞬間に、当該他の放射線画像検出器２の電源消費状態がスリープ状態に切り替えられる。
【０１１０】
しかし、これでは操作者に煩わしさを感じさせてしまう可能性があるため、例えば、コンソール７を、電源消費状態が撮影可能状態の単独の状態の放射線画像検出器２が２個以上存在すると判断した後、所定時間が経過してから、選択した放射線画像検出器２以外の単独の状態の放射線画像検出器２について切替処理を行うように構成することも可能である。このように構成すれば、上記のような状況で操作者が煩わしさを感じることを防止することができる。
【０１１１】
また、本実施形態では、ブッキー装置３として立位撮影用のブッキー装置３ａと臥位撮影用のブッキー装置３ｂが設けられている場合について説明したが、単数の、或いは３台以上のブッキー装置３が設けられている場合にも本発明は適用される。
【０１１２】
さらに、本実施形態では、撮影室Ｒ１に隣接する前室Ｒ２にコンソール７を設ける場合について説明したが、コンソール７が前室Ｒ２に設けられる必要はなく、別の場所に設けられてもよい。さらに、本実施形態では、撮影室Ｒ１とコンソール７とが一対一に対応付けられている場合について説明したが、複数の撮影室Ｒ１と単数または複数のコンソール７とをネットワーク等で結び、例えばコンソール７側の操作により撮影室Ｒ１を指定する等して撮影室Ｒ１とコンソール７とを一対一に対応付けるように構成することも可能である。また、その他、本発明が本実施の形態に限定されず、適宜変更可能であることはいうまでもない。
【図面の簡単な説明】
【０１１３】
【図１】本実施形態に係る放射線画像撮影システムの全体構成を示す図である。
【図２】放射線画像検出器の外観構成を示す斜視図である。
【図３】記憶手段に登録されている撮影室内等の放射線画像検出器のカセッテＩＤや電源のＯＮ／ＯＦＦ状態、電源消費状態、ブッキー装置への装填状態を表す図である。
【図４】撮影オーダ情報の一例を示す図である。
【図５】コンソールの表示部に表示される撮影オーダ情報が表示された選択画像の一例を示す図である。
【図６】コンソールの表示部に表示されるブッキー装置や放射線画像検出器のアイコンが表示された選択画像の一例を示す図である。
【図７】カセッテ保持部を備えるブッキー装置、およびブッキー装置に装填される放射線画像検出器を説明する図である。
【符号の説明】
【０１１４】
１    放射線画像撮影システム
２    可搬型放射線画像検出器（放射線画像検出器）
２４    無線通信手段（アンテナ装置）
２Ａ、２Ｂ、２Ｃ    アイコン
３    ブッキー装置
４    放射線発生装置
７    コンソール
７１    表示部
【図１】
2009291338.tif 000003
【図２】
2009291338.tif 000004
【図３】
2009291338.tif 000005
【図４】
2009291338.tif 000006
【図５】
2009291338.tif 000007
【図６】
2009291338.tif 000008
【図７】
2009291338.tif 000009